(57)【要約】【課題】電磁接触器のＯＵＴ側にリレーを追加し、コントロール部が、異常高温を感知して電磁接触器の駆動出力を遮断しても、リレー接点のＯＮを検出した場合には電磁接触器の接点の溶着と認識し、警報部を動作させる電気フライヤ−の安全装置を提供する。【解決手段】第１に、加熱ヒーターＨと、コントロール部ＣＢと、駆動信号により加熱ヒーターＨへの通電を制御する電磁接触器ＭＣ１と、異常高温検知器ＨＬとを有する電気フライヤーとする。第２に、電磁接触器ＭＣ１の接点Ｓ１の接触及び遮断に連動するリレーＲを設け、リレー接点Ｒ１の接触又は遮断がコントロール部ＣＢに入力されるように接続する。第３に、コントロール部ＣＢが、電磁接触器ＭＣ１へ駆動信号を発していないにもかかわらず、リレー接点Ｒ１が遮断されていないことを検出した場合には、電磁接触器ＭＣ１の接点Ｓ１に溶着ありと認識し、指令により警報部Ａを動作させる安全装置とする。【選択図】図１
2018143487.tif 000002
【特許請求の範囲】
【請求項１】
油槽内に設置される加熱ヒーターと、装置全体を制御するコントロール部と、該コントロール部からの駆動信号により前記加熱ヒーターへの通電を制御する電磁接触器と、油槽内に設置され、前記コントロール部へ異常高温を入力する異常高温検知器とを有する電気フライヤーにおいて、
前記電磁接触器のＯＵＴ側に該電磁接触器の接点の接触及び遮断に連動するリレー接点を有するリレーを設け、該リレー接点の接触又は遮断が前記コントロール部に入力されるように前記リレーと該コントロール部とを接続し、
前記コントロール部が、前記電磁接触器へ駆動信号を発していないにもかかわらず、前記リレーのリレー接点が遮断されていないことを検出した場合には、前記電磁接触器の接点に溶着ありと認識し、該コントロール部からの指令により警報部を動作させることを特徴とする電気フライヤーの安全装置。
【請求項２】
油槽内に設置される加熱ヒーターと、装置全体を制御するコントロール部と、該コントロール部からの駆動信号により前記加熱ヒーターへの通電を制御する電磁接触器と、油槽内に設置され、前記コントロール部へ異常高温を入力する異常高温検知器とを有する電気フライヤーにおいて、
前記電磁接触器のＯＵＴ側に該電磁接触器の接点の接触及び遮断に連動するリレー接点を有するリレーを設け、該リレー接点の接触又は遮断が前記コントロール部に入力されるように前記リレーと該コントロール部とを接続し、
前記コントロール部が、前記異常高温検知器から異常高温検知信号を受け、前記電磁接触器へ駆動信号を発していないにもかかわらず、前記リレーのリレー接点が遮断されていないことを検出した場合には、前記電磁接触器の接点に溶着ありと認識し、該コントロール部からの指令により警報部を動作させることを特徴とする電気フライヤーの安全装置。
【請求項３】
上記電気フライヤーは、該電気フライヤーの外部に設置されたブレーカーから通電を受けるよう配置され、上記警報部が、該ブレーカーを切ることでしか警報を解除できないようにしたことを特徴とする請求項１又は２に記載の電気フライヤーの安全装置。
【請求項４】
上記電磁接触器が、供給電源側に設置される主電磁接触器と、該主電磁接触器より加熱ヒーター側に設置されるヒーター電磁接触器とからなり、
上記リレーが、前記主電磁接触器のＯＵＴ側に設けられたことを特徴とする請求項１又は２又は３に記載の電気フライヤーの安全装置。
【請求項５】
上記電磁接触器が、供給電源側に設置される主電磁接触器と、該主電磁接触器より加熱ヒーター側に設置されるヒーター電磁接触器とからなり、
上記リレーが、前記主電磁接触器のＯＵＴ側及び前記ヒーター電磁接触器のＯＵＴ側に設けられたことを特徴とする請求項１又は２又は３に記載の電気フライヤーの安全装置。
【請求項６】
上記電磁接触器が、供給電源側に設置される主電磁接触器と、該主電磁接触器より加熱ヒーター側に設置されるヒーター電磁接触器とからなり、
上記リレーが、前記ヒーター電磁接触器のＯＵＴ側に設けられたことを特徴とする請求項１又は２又は３に記載の電気フライヤーの安全装置。
【請求項７】
上記異常高温検知器が、複数の接点を有するハイリミットスイッチであり、該接点のうち一つを上記加熱ヒーターへの通電回路上に配置し、異常高温を検知した場合に、該接点を遮断することにより、電磁接触器の接点の溶着の認識の有無にかかわらず、加熱ヒーターの電源を直接切ることを特徴とする請求項１乃至６の何れか１つに記載の電気フライヤーの安全装置。
【発明の詳細な説明】
【技術分野】
【０００１】
本発明は、電気フライヤーの安全装置に関するものである。詳しくは、電気フライヤーにおいて、油槽内が異常高温であるにもかかわらず、電力供給を担う電磁接触器の接点が溶着状態であることから、火災の危険性があることを知らせるための安全装置である。
【背景技術】
【０００２】
油槽内に設置される加熱ヒーターと、装置全体を制御するコントロール部と、コントロール部からの指令により加熱ヒーターへの通電を制御する電磁接触器と、油槽内に設置される異常高温検知器とを有する電気フライヤーにおいては、従来より槽内の異常高温による火災防止のための安全装置が採用されていた。
通常は、温度センサー又はハイリミットが異常高温を検知した場合、コントロール基板の電磁接触器への出力及びハイリミット自体の接点の利用で、電磁接触器の信号回路を切り、メイン通電を遮断すると同時に警報部を動作させて、利用者に電気フライヤーの正面に設置されている電源スイッチを切断させる方法が採用されていた。
【０００３】
しかし、電気フライヤーの電源スイッチは、コントロール部である制御基板へ印加される電力を切断するもので、加熱ヒーターへ流れる電源を直接切断するものではない。通常、電源スイッチを切ると加熱ヒーターの電源が遮断されると考えられるが、電気フライヤーの電源スイッチを切ったとしても電磁接触器自体に不具合が発生し接点が解放されないと加熱ヒーターへの通電は遮断されない。
【０００４】
その上、電気フライヤーの電源プラグは電気フライヤーの背面にあるため引き抜くことができない。そのため、電源遮断は分電盤のブレーカーを遮断しなければできない構造となっている。電源から加熱ヒーターへ印加されるＡＣ三相２００Ｖの電力を遮断するには、電気フライヤー設置の店内にある配電盤ブレーカーを遮断するしか方法はないのである。
【０００５】
そこで、特許文献１に示されるように、加熱ヒーターへ流れる電流を検出するカレントトランスを設けることにより通電状態を制御装置が把握できるようにし、通電制御素子駆動信号が制御装置より出力されていないのにもかかわらず、加熱ヒーターへ流れる電流を検出した場合、検出した検出値がある数値以上であるならば通電制御素子の故障と制御装置が判断し、ある時間だけ報知装置を動作させた後、漏電遮断機を駆動させる信号を制御装置より出力して電気式フライヤー全体を停止するものが開示されている。
【０００６】
特許文献１の装置では、カレントトランスにて検知した入力電流を読み取るための別の検出回路を必要とするもので、電気フライヤーのスペースの有効利用の要求に応えられるものではなかった。
【０００７】
しかし、電気フライヤーにおける加熱ヒーターへの通電を行う電磁接触器は、電磁接触器自体の開閉回数からくる接点の寿命や、油煙侵入による接点の固着や、過電流による接点の溶着などが原因で、接点の溶着をおこすことが少なからずあった。このような場合、該電磁接触器の接点の溶着を認識することができないと、電気フライヤーの電源スイッチを遮断していても、加熱ヒーターへの通電が遮断されず火災へ至る事があった。即ち、この接点が溶着していると安全装置であるハイリミットなどの異常過熱防止装置が作動しても、電磁接触器の接点は遮断されないため電気フライヤーに設置されている安全装置は意味をなさないことになってしまう。
【先行技術文献】
【特許文献】
【０００８】
【特許文献１】特開平１１−３２９２３号公開特許公報
【発明の概要】
【発明が解決しようとする課題】
【０００９】
そこで、本願発明は、電気フライヤーの安全装置として、電磁接触器の接点の接触（ＯＮ）及び遮断（ＯＦＦ）を感知し、電気フライヤー全体を制御するコントロール部へ出力するリレーを設け、コントロール部が、電磁接触器へ駆動信号を発していないにもかかわらず、リレーのリレー接点が遮断されていないことを検出した場合には、電磁接触器の接点の溶着と認識し、警報部を動作させることを目的とする。
特に、コントロール部が、異常高温検知器から異常高温検知信号を受け、電磁接触器への駆動信号を遮断しているにもかかわらず、リレーのリレー接点が遮断されていないことを検出した場合には、電磁接触器の接点の溶着と認識して、警報を発し、該警報をブレーカーを切ることによってのみ解除できるようにして、確実に、電気フライヤーの加熱を停止させ、火災へ繋がる原因を軽減させることを目的とする。
【課題を解決するための手段】
【００１０】
上記課題を解決するために、第１の発明は電気フライヤーの安全装置を次のように構成する。
第１に、油槽内に設置される加熱ヒーターと、装置全体を制御するコントロール部と、該コントロール部からの駆動信号により加熱ヒーターへの通電を制御する電磁接触器と、油槽内に設置され、コントロール部へ異常高温を入力する異常高温検知器とを有する電気フライヤーとする。
第２に、電磁接触器のＯＵＴ側に該電磁接触器の接点の接触及び遮断に連動するリレー接点を有するリレーを設け、該リレー接点の接触又は遮断がコントロール部に入力されるようにリレーとコントロール部とを接続する。
第３に、コントロール部が、電磁接触器へ駆動信号を発していないにもかかわらず、リレーのリレー接点が遮断されていないことを検出した場合には、電磁接触器の接点に溶着ありと認識し、該コントロール部からの指令により警報部を動作させる。
【００１１】
第２の発明は、電気フライヤーの安全装置を次のように構成する。
第１に、 油槽内に設置される加熱ヒーターと、装置全体を制御するコントロール部と、該コントロール部からの駆動信号により加熱ヒーターへの通電を制御する電磁接触器と、油槽内に設置され、コントロール部へ異常高温を入力する異常高温検知器とを有する電気フライヤーとする。
第２に、電磁接触器のＯＵＴ側に該電磁接触器の接点の接触及び遮断に連動するリレー接点を有するリレーを設け、該リレー接点の接触又は遮断がコントロール部に入力されるようにリレーとコントロール部とを接続する。
第３に、コントロール部が、異常高温検知器から異常高温検知信号を受け、電磁接触器へ駆動信号を発していないにもかかわらず、リレーのリレー接点が遮断されていないことを検出した場合には、電磁接触器の接点に溶着ありと認識し、該コントロール部からの指令により警報部を動作させる。
【００１２】
第３の発明は、第１又は第２の発明において、電気フライヤーが、該電気フライヤーの外部に設置されたブレーカーから通電を受けるよう配置され、警報部が、該ブレーカーを切ることでしか警報を解除できないようにしたことを特徴とする電気フライヤーの安全装置である。
【００１３】
第４の発明は、第１又は第２又は第３の発明において、電磁接触器が、供給電源側に設置される主電磁接触器と、該主電磁接触器より加熱ヒーター側に設置されるヒーター電磁接触器とからなり、リレーが、主電磁接触器のＯＵＴ側に設けられることを特徴とする電気フライヤーの安全装置である。
【００１４】
第５の発明は、第１又は第２又は第３の発明において、電磁接触器が、供給電源側に設置される主電磁接触器と、該主電磁接触器より加熱ヒーター側に設置されるヒーター電磁接触器とからなり、リレーが、主電磁接触器のＯＵＴ側及びヒーター電磁接触器のＯＵＴ側に設けらることを特徴とする電気フライヤーの安全装置である。
【００１５】
第６の発明は、第１又は第２又は第３の発明において、電磁接触器が、供給電源側に設置される主電磁接触器と、該主電磁接触器より加熱ヒーター側に設置されるヒーター電磁接触器とからなり、リレーが、ヒーター電磁接触器のＯＵＴ側に設けられることを特徴とする電気フライヤーの安全装置である。
【００１６】
第７の発明は、第１乃至第６の何れか１つの発明において、異常高温検知器が、複数の接点を有するハイリミットスイッチであり、該接点のうち一つを加熱ヒーターへの通電回路上に配置し、異常高温を検知した場合に、該接点を遮断することにより、電磁接触器の接点の溶着の認識の有無にかかわらず、加熱ヒーターの電源を直接切ることを特徴とする電気フライヤーの安全装置である。
【発明の効果】
【００１７】
第１の発明は、電気フライヤーの安全装置において、電磁接触器のＯＵＴ側に該電磁接触器の接点の接触及び遮断に連動するリレー接点を有するリレーを設け、該リレー接点の接触又は遮断がコントロール部に入力されるようにし、電磁接触器へ駆動信号を発していないにもかかわらず、コントロール部が、リレーのリレー接点が遮断されていないことを検出した場合には、電磁接触器の接点に溶着ありと認識して、警報を発生させるものとなった。その結果、電気フライヤーの電磁接触器の接点の溶着による電気フライヤーの異常を事前に認識でき、結局は、将来発生する危険のある電磁接触器の接点溶着が原因となる火災を有効に防止できることとなった。
その上、リレー自体は小型なものを利用できるため、電気フライヤーの配電スペースを有効に利用でき、コンパクトな安全装置付の電気フライヤーとなった。
【００１８】
上記第１の発明は、異常高温検知器からの異常高温検知信号の入力の有無にかかわらず、電磁接触器の接点の溶着を判断するものであるが、第２の発明は、異常高温検知器から異常高温検知信号をコントロール部が受け、電磁接触器へ駆動信号を発していないにもかかわらず、コントロール部が、リレーのリレー接点が遮断されていないことを検出した場合には、電磁接触器の接点に溶着ありと認識して、警報を発生させるものとなった。その結果、電気フライヤーの電磁接触器の接点の溶着が原因となるより危険の迫った火災を有効に防止できることとなった。
その上、リレー自体は小型なものを利用できるため、電気フライヤーの配電スペースを有効に利用でき、コンパクトな安全装置付の電気フライヤーとなった。
【００１９】
第３の発明の効果ではあるが、警報部が警報を発した場合、電気フライヤーの外部に設置されたブレーカーを切ることでしか警報を解除できないようにしたため、警報解除には、ブレーカーを切ることが必要となり、電気フライヤー自体に装備される電源スイッチを遮断していても、加熱ヒーターへの通電が遮断されず火災へ至る事があったという問題を解決することができた。
【００２０】
第４の発明の効果ではあるが、リレーが、主電磁接触器のＯＵＴ側に設けられることにより、主電磁接触器の接点の溶着を確実に把握できる電気フライヤーの安全装置となった。
【００２１】
第５の発明の効果ではあるが、リレーが、主電磁接触器のＯＵＴ側及びヒーター電磁接触器のＯＵＴ側に設けらたことにより、主電磁接触器及びヒーター電磁接触器の何れの接点の溶着も把握でき、より安全性を高めることができた。
【００２２】
第６の発明の効果ではあるが、リレーが、ヒーター電磁接触器のＯＵＴ側に設けられることにより、ヒーター電磁接触器の接点の溶着を確実に把握できる電気フライヤーの安全装置となった。
【００２３】
第７の発明の効果ではあるが、異常高温を検知すると、加熱ヒーターへの通電回路上に配置されたハイリミットスイッチの接点を遮断して、加熱ヒーターへの電源供給を切る手段が付加されたので、より安全性の高い電気フライヤーの安全装置となった。
【図面の簡単な説明】
【００２４】
【図１】本発明の第１実施例の電気回路図
【図２】本発明の第２実施例の電気回路図
【図３】本発明の動作工程を示す説明図
【発明を実施するための形態】
【００２５】
以下、本発明を実施するための形態につき実施例と共に説明する。
本発明は、飲食店やコンビニエンスストアなどで食品の揚げ物を提供するために利用される業務用の電気フライヤーの安全装置に関するものである。
【００２６】
実施例で示す安全装置に用いられる電気フライヤーの基本構造は、ボックス内に所要量の食用油が貯留される油槽が設置され、油槽内には食用油を加熱するための加熱ヒーターＨが装備され、油槽の正面側に装置全体を制御するコントロール部ＣＢを含む電装部があり、電装部の表面には電源スイッチや加熱スタートスイッチ、メニュー設定スイッチなどが配置された操作パネルが装着されている。尚、操作パネルには、表示及びブザー音により異常を知らせる警報部Ａが装備されている。
【００２７】
そして、実施例に用いられる電気フライヤーの油槽内には、食用油を加熱する加熱ヒーターＨと、食用油の設定温度を管理するための温度センサーＴＨと、食用油の異常高温を検知するためのハイリミットＨＬが配置されている。本発明における異常高温検知のためには、ハイリミットＨＬ及び温度センサーＴＨとも利用することが可能であるが、実施例での異常高温検知にはハイリミットＨＬが用いられている。
【００２８】
以下、図１及び図３に従って、第１実施例に係る電気フライヤーの安全装置について説明する。図１は、第１実施例に係る安全装置を具備した電気フライヤーの電気回路図であり、図３は、同実施例の動作工程を示す説明図である。
【００２９】
図１中最上部に示される符号ＲＳＴは、三相交流の２００Ｖの電気フライヤーへの電源である。電源ＲＳＴの図中下方にある符号ＥＬＢはブレーカーであり、ブレーカーＥＬＢは、当該電気フライヤーが設置される施設内の電気フライヤーから離れた位置に配設されている。電源ＲＳＴはブレーカーＥＬＢを介して電気フライヤーの電装部と接続されている。
【００３０】
電装部には、油槽内の加熱ヒーターＨへの通電及び遮断を行う電磁接触器ＭＣ１、ＭＣ２と、電磁接触器ＭＣ１、ＭＣ２の制御を含め加熱ヒーターＨ全体を制御するコントロール部ＣＢとが装備されている。尚、本実施例で電磁接触器は、主電磁接触器ＭＣ１とヒーター電磁接触器ＭＣ２の２種類が用いられているが、本願発明における電磁接触器は、単数であっても２種以外の複数であってもよい。
【００３１】
図３（１）及び図１に示されるようにブレーカーＥＬＢがＯＮであると電源ＲＳＴから主電磁接触器ＭＣ１とコントロール部ＣＢへ通電される。この時点では、コントロール部ＣＢからの駆動信号出力がなされていないため、主電磁接触器ＭＣ１の接点Ｓ１は、図１に示されるように遮断（ＯＦＦ）されている。このため加熱ヒーターＨへ向かう電流は、主電磁接触器ＭＣ１で遮断されている。
【００３２】
尚、主電磁接触器ＭＣ１とコントロール部ＣＢとの間には信号回路Ｃ１があり、コントロール部ＣＢは、信号回路Ｃ１を通じ、主電磁接触器ＭＣ１へ駆動信号を出力する。該駆動信号により、主電磁接触器ＭＣ１の接点Ｓ１がＯＮとなる。これによりヒーター電磁接触器ＭＣ２へと通電される。尚、主電磁接触器ＭＣ１の通電を遮断するには、当該信号回路Ｃ１を遮断（ＯＦＦ）して、駆動信号の出力を遮断することにより行う。
【００３３】
利用者が当該電気フライヤーの使用を開始する場合、図３（２）に示されるように、正面パネルにある電源スイッチをＯＮとする。これによりコントロール部ＣＢが動作し、電気フライヤー自体に異常がないと認識した時、図３（３）に示されるようにコントロール部ＣＢより主電磁接触器ＭＣ１へ駆動信号が送られる。
【００３４】
これにより図３（４）に示されるように主電磁接触器ＭＣ１の接点Ｓ１はＯＮとなり、ヒーター電磁接触器ＭＣ２へと通電される。図１に示されるように、主電磁接触器ＭＣ１のＯＵＴ側の外部にはリレーＲが配置されている。該リレーＲは主電磁接触器ＭＣ１の接点Ｓ１の接触（ＯＮ）及び遮断（ＯＦＦ）に連動するリレー接点Ｒ１を有している。
【００３５】
該リレーＲとコントロール部ＣＢとは接続されており、リレー接点Ｒ１のＯＮ及びＯＦＦはコントロール部ＣＢへと入力される。従って、ヒーター電磁接触器ＭＣ２へと通電される時、図３（５）のように、コントロール部ＣＢが、リレー接点Ｒ１のＯＮ、即ち、主電磁接触器ＭＣ１の接点Ｓ１のＯＮを検出する。
【００３６】
ヒーター電磁接触器ＭＣ２は、加熱ヒーターＨと接続されており、主電磁接触器ＭＣ１からの通電を受け、加熱ヒーターＨの温度調節を行うものである。ヒーター電磁接触器ＭＣ２は、加熱ヒーターＨへの通電及び遮断を行う接点Ｓ２を有している。加熱スタートスイッチを作動する前では、ヒーター電磁接触器ＭＣ２の接点Ｓ２は図１に示されるようにＯＦＦとされているため、加熱ヒーターＨへは通電されていない。
【００３７】
電気フライヤーで調理を開始する際には、図３（６）に示すように、操作パネルの加熱スタートスイッチをＯＮとする。この時、コントロール部ＣＢは図３（７）に示すように、ヒーター電磁接触器ＭＣ２に対し駆動信号を出力し、これによりヒーター電磁接触器ＭＣ２の接点Ｓ２はＯＮとなり、図３（８）に示すように、ヒーター電磁接触器ＭＣ２がＯＮとなる。該駆動信号は、コントロール部ＣＢとヒーター電磁接触器ＭＣ２間に設けられた信号回路Ｃ２を通じて出力される。これにより、図３（９）に示すように、加熱ヒーターＨにより油槽内の食用油が加熱され、揚げ物料理が行われる。尚、ヒーター電磁接触器ＭＣ２の通電を遮断するには、当該信号回路Ｃ２を遮断（ＯＦＦ）して、駆動信号の出力を遮断することにより行う。
【００３８】
油槽内には揚げ物料理に適する食用油温度を継続させるため、温度センサーＴＨが設置されている。加熱ヒーターＨの連続加熱により油槽内の食用油の温度が高熱化すると、図３（１０）に示すように、温度センサーＴＨは設定高温を感知し、コントロール部ＣＢが高温と判断し、図３（１１）のように、信号回路Ｃ２を遮断する。これにより、ヒーター電磁接触器ＭＣ２の接点Ｓ２がＯＦＦとなり、図３（１２）に示すように、ヒーター電磁接触器ＭＣ２から加熱ヒーターＨに対する通電が遮断される。
【００３９】
加熱ヒーターＨへの通電ＯＦＦの状態が継続すると、油槽内の食用油の温度は低下し、図３（１３）に示されるように温度センサーＴＨが設定低温を感知し、コントロール部ＣＢが低温と判断し、図３（１４）のようにヒーター電磁接触器ＭＣ２へ駆動信号を出力し、図３（１５）のようにヒーター電磁接触器ＭＣ２の接点Ｓ２をＯＮにする。これにより再度加熱ヒーターＨに通電され、加熱が再開される。
【００４０】
このようにヒーター電磁接触器ＭＣ２による温度制御を行いながら、揚げ物調理を行う訳であるが、何らかの理由でヒーター電磁接触器ＭＣ２による温度制御ができなくなると、油槽内の食用油の温度は発火の危険性ある温度まで上昇してしまう。そこで、発火危険温度である約３１０℃に近い設定温度約２８０℃を異常高温として、検出するハイリミットＨＬを油槽内に設置してある。
【００４１】
ハイリミットＨＬは、複数の接点Ｌ１１、Ｌ１２を有し、そのうちの一つの接点Ｌ１１（図１中左側に示されるＬ１１）を用いて、図３（１６）に示すように、コントロール部ＣＢに対し異常高温感知信号を送り、主電磁接触器ＭＣ１及びヒーター電磁接触器ＭＣ２の信号回路Ｃ１、Ｃ２を遮断（ＯＦＦ）している。但し、図３（１７）では、主電磁接触器ＭＣ１の信号回路Ｃ１を遮断（ＯＦＦ）する場合のみを示している。尚、図１の実施例ではコントロール部ＣＢによる信号回路Ｃ１、Ｃ２の遮断とは別に、もう一方の接点Ｌ１２（図１中右側に示されるＬ１２）を用いて、信号回路Ｃ１を直接遮断するようにして２重の安全性を確保している。
【００４２】
正常な場合、この信号回路Ｃ１、Ｃ２のＯＦＦにより、主電磁接触器ＭＣ１及びヒーター電磁接触器ＭＣ２はＯＦＦとなり、加熱ヒーターＨへの通電は遮断され、火災を予防できる。コントロール部ＣＢが、主電磁接触器ＭＣ１への信号回路を遮断（ＯＦＦ）すると、主電磁接触器ＭＣ１の接点Ｓ１は遮断（ＯＦＦ）され、これと連動して動くリレーＲのリレー接点Ｒ１も同様に遮断（ＯＦＦ）され、コントロール部ＣＢが、リレー接点Ｒ１の遮断（ＯＦＦ）を認識する。
【００４３】
主電磁接触器ＭＣ１が正常な場合、上記のように通電は遮断され、コントロール部ＣＢはリレー接点Ｒ１のＯＦＦを認識するが、主電磁接触器ＭＣ１の接点Ｓ１が溶着しているような場合、コントロール部ＣＢが信号回路Ｃ１を遮断しても、図３（１８）に示すように、主電磁接触器ＭＣ１の通電は継続しており、リレー接点Ｒ１は、主電磁接触器ＭＣ１の接点Ｓ１と同様、図３（１９）に示すようにＯＮとなっている。
【００４４】
このように、主電磁接触器ＭＣ１への信号回路Ｃ１が遮断（ＯＦＦ）されているにもかかわらず、リレーＲのリレー接点Ｒ１がＯＦＦとされず、ＯＮであることをコントロール部ＣＢが検知すると、図３（２０）に示すように主電磁接触器ＭＣ１の接点Ｓ１が溶着しているものとコントロール部ＣＢが認識する。
【００４５】
主電磁接触器ＭＣ１の接点Ｓ１が溶着しているものとコントロール部ＣＢが認識すると、図３（２１）に示すようにコントロール部ＣＢは警報部Ａを動作させる。警報部Ａは、表示及びブザー音により異常を知らせる。この警報部Ａの動作は、電気フライヤーの電源スイッチを切ることでは解除できず、図３（２２）に示すようにブレーカーＥＬＢを手動で切ることでのみ解除でき、図３（２３）に示されるように警報部Ａは動作を停止する。このように、警報の解除にブレーカーＥＬＢを切る行為が要求され、ブレーカーＥＬＢを切ることで加熱ヒーターＨへの通電が遮断されるので、確実な加熱停止ができるものとなった。
【００４６】
尚、ブレーカーＥＬＢを切ることにより電気フライヤー自体を停止させ、加熱も警報も停止されるが、再度、ブレーカーＥＬＢをＯＮとすると、電気フライヤーの電源スイッチをＯＮとしなくても、コントロール部ＣＢ及び主電磁接触器ＭＣ１への通電が行われる。このとき、主電磁接触器ＭＣ１の接点Ｓ１が溶着しているため、加熱ヒーターＨへ通電される危険がある。しかし、コントロール部ＣＢは、主電磁接触器ＭＣ１への駆動信号の出力も、リレー接点Ｒ１の遮断も認識しないため、主電磁接触器ＭＣ１の接点Ｓ１に溶着ありと認識して、警報部Ａを動作させる。このようにハイリミットＨＬからの異常高温検知信号がなくても、警報は発せられ、より安全性を高めている。
【００４７】
図１に示す電気フライヤーの安全装置は、主電磁接触器ＭＣ１のＯＵＴ側の外部にリレーＲを設けたものであるが、ヒーター電磁接触器ＭＣ２のＯＵＴ側の外部にリレーＲを設けてもよいし、主電磁接触器ＭＣ１及びヒーター電磁接触器ＭＣ２のＯＵＴ側の外部の２か所にリレーＲを設けたものであってもよい。
【００４８】
以上、図１及び図３に従い、第１実施例に係る安全装置を具備した電気フライヤーについて説明したが、以下、図２に示される第２実施例に係る安全装置を具備した電気フライヤーについて説明する。
第１実施例と第２実施例との相違は、ハイリミットＨＬの利用の仕方の相違のみである。即ち、第１実施例ではハイリミットＨＬは接点Ｌ１１を利用し、コントロール部ＣＢにて、主電磁接触器ＭＣ１及びヒーター電磁接触器ＭＣ２への信号回路を遮断し、接点Ｌ１２を利用して主電磁接触器ＭＣ１の信号回路を直接遮断し、両電磁接触器ＭＣ１、ＭＣ２の通電をＯＦＦさせるものであるが、第２実施例でのハイリミットＬＨは、接点Ｌ２１を利用して、コントロール部ＣＢにて、主電磁接触器ＭＣ１及びヒーター電磁接触器ＭＣ２への信号回路を遮断して、両電磁接触器ＭＣ１、ＭＣ２の通電をＯＦＦさせるが、他の接点Ｌ２２は、これを利用して、加熱ヒーターＨへの通電回路を直接遮断するようにしたものである。
これにより、何重にも安全を確保することができた。
【符号の説明】
【００４９】
ＲＳＴ・・・・・・・・・・・・・・・電源
ＥＬＢ・・・・・・・・・・・・・・・ブレーカー
ＣＢ・・・・・・・・・・・・・・・・コントロール部
ＭＣ１・・・・・・・・・・・・・・・主電磁接触器
Ｓ１・・・・・・・・・・・・・・・・主電磁接触器接点
Ｒ・・・・・・・・・・・・・・・・・リレー
Ｒ１・・・・・・・・・・・・・・・・リレー接点
ＭＣ２・・・・・・・・・・・・・・・ヒーター電磁接触器
Ｓ２・・・・・・・・・・・・・・・・ヒーター電磁接触器接点
Ｈ・・・・・・・・・・・・・・・・・加熱ヒーター
ＴＨ・・・・・・・・・・・・・・・・温度センサー
ＨＬ・・・・・・・・・・・・・・・・ハイリミット
Ｌ１１、Ｌ１２、Ｌ２１、Ｌ２２・・・ハイリミット接点
Ｃ１、Ｃ２・・・・・・・・・・・・・信号回路
Ａ・・・・・・・・・・・・・・・・・警報部
【図１】
2018143487.tif 000003
【図２】
2018143487.tif 000004
【図３】
2018143487.tif 000005